(57)【要約】【課題】  放射線の照射開始から信号のサンプルホールドまでの時間の変動を低減するために有利な技術を提供する。【解決手段】  放射線撮像装置は、複数の画素を有する画素アレイと、前記画素アレイから信号を読み出す読出回路とを備える放射線撮像装置であって、前記複数の画素の各々は、放射線を電気信号に変換する変換素子と、前記放射線に応じて前記変換素子からの信号を複数回にわたってサンプルホールドするサンプルホールド回路とを含み、  前記読出回路によって読み出された信号に基づいて取得された前記放射線の放射線エネルギーの時間変化に関する情報に基づいて、前記複数回のサンプルホールドのタイミングを決定する処理を行う処理部と、前記処理部によって決定された前記タイミングで前記サンプルホールド回路による前記複数回のサンプルホールドを行うように制御する制御部と、を更に備える。【選択図】  図６
2020088765.tif 000002
【特許請求の範囲】
【請求項１】
複数の画素を有する画素アレイと、前記画素アレイから信号を読み出す読出回路とを備える放射線撮像装置であって、
前記複数の画素の各々は、放射線を電気信号に変換する変換素子と、前記放射線に応じて前記変換素子からの信号を複数回にわたってサンプルホールドするサンプルホールド回路とを含み、
前記読出回路によって読み出された信号に基づいて取得された前記放射線の放射線エネルギーの時間変化に関する情報に基づいて、前記複数回のサンプルホールドのタイミングを決定する処理を行う処理部と、
前記処理部によって決定された前記タイミングで前記サンプルホールド回路による前記複数回のサンプルホールドを行うように制御する制御部と、
を更に備えることを特徴とする放射線撮像装置。
【請求項２】
前記制御部は、互いに異なる複数のエネルギーにおける放射線画像が得られるように前記複数回のサンプルホールドのタイミングを決定する、
ことを特徴とする請求項１に記載の放射線撮像装置。
【請求項３】
前記変換素子をリセットするリセット部を更に備え、
前記複数の画素の各々において、前記複数回のサンプルホールドのうち最初のサンプルホールドと前記複数回のサンプルホールドのうち最後のサンプルホールドとの間の期間中は、前記リセット部が前記変換素子をリセットしない、
ことを特徴とする請求項１又は２に記載の放射線撮像装置。
【請求項４】
前記制御部は、放射線の照射の開始からサンプルホールドの終了までの期間が一定になるように、前記複数の画素を制御する、
ことを特徴とする請求項３に記載の放射線撮像装置。
【請求項５】
前記制御部は、複数のフレームにおいて、前記放射線の照射の開始からサンプルホールドの終了までの期間が一定になるように前記複数の画素を制御する、
ことを特徴とする請求項４に記載の放射線撮像装置。
【請求項６】
前記制御部は、前記読出回路によって読み出された信号に基づいて前記放射線エネルギーの時間変化に関する情報が取得されるように、前記読出回路及び前記サンプルホールド回路を制御する、
ことを特徴とする請求項５に記載の放射線撮像装置。
【請求項７】
前記処理部は、前記読出回路によって読み出された信号に基づいて前記放射線の照射の開始を検出する処理を更に行い、
前記制御部は、前記複数のエネルギーにおける放射線画像を取得する際の前記読出回路による読出の繰り返しよりも前記放射線の照射の開始を検出する際の前記読出回路による読出の繰り返しの方が高速で行われるように、前記読出回路を制御する、
ことを特徴とする請求項６に記載の放射線撮像装置。
【請求項８】
前記制御部は、前記放射線の照射の開始を検出する前に前記リセット部による前記変換素子のリセットを行うように制御する、
ことを特徴とする請求項７に記載の放射線撮像装置。
【請求項９】
前記処理部は、前記読出回路によって読み出された信号の時間変化量に基づいて前記複数回のサンプルホールドのタイミングを決定する、
ことを特徴とする請求項３乃至８のいずれか１項に記載の放射線撮像装置。
【請求項１０】
前記複数の画素の各々は、前記サンプルホールド回路として、前記複数のエネルギーにおける放射線画像を取得するためのサンプルホールド回路とは別に、前記放射線エネルギーの時間変化に関する情報を取得するための別のサンプルホールド回路を含む、
ことを特徴とする請求項３乃至９のいずれか１項に記載の放射線撮像装置。
【請求項１１】
前記処理部は、前記別のサンプルホールド回路からの信号に基づいて前記放射線の照射の完了に応じたタイミングで前記複数回のサンプルホールドのうちの最後のサンプルホールドのタイミングを決定する、
ことを特徴とする請求項１０に記載の放射線撮像装置。
【請求項１２】
前記処理部は、前記別のサンプルホールド回路からの信号に基づいて前記放射線の照射の完了に応じたタイミングで前記最後のサンプルホールドの後の前記リセット及び前記リセットされた際のリセットレベルのサンプルホールドのタイミングを決定する、
ことを特徴とする請求項１１に記載の放射線撮像装置。
【請求項１３】
複数の画素を有する画素アレイと、前記画素アレイから信号を読み出す読出回路とを備える放射線撮像装置の制御方法であって、
前記複数の画素の各々は、放射線を電気信号に変換する変換素子と、前記放射線に応じて前記変換素子からの信号を複数回にわたってサンプルホールドするサンプルホールド回路とを含み、
前記読出回路によって読み出された信号に基づいて取得された前記放射線の放射線エネルギーの時間変化に関する情報に基づいて決定された前記複数回のサンプルホールドのタイミングで前記サンプルホールド回路による前記複数回のサンプルホールドを行う、
ことを特徴とする放射線撮像装置の制御方法。
【発明の詳細な説明】
【技術分野】
【０００１】
本発明は、放射線撮像装置および放射線撮像装置の制御方法に関する。
【背景技術】
【０００２】
放射線撮像装置を応用した撮影方法としてエネルギーサブトラクション法がある。エネルギーサブトラクション法は、被検体に照射する放射線のエネルギーを異ならせて複数回にわたって撮像して得た複数の画像を処理することによって新たな画像（例えば、骨画像および軟部組織画像）を得る方法である。複数の放射線画像を撮像する時間間隔は、例えば、静止画撮像用の放射線撮像装置では数秒以上、通常の動画用の放射線撮像装置では１００ミリ秒程度であり、高速の動画用の放射線撮像装置でも１０ミリ秒程度である。この時間間隔において被検体が動くと、その動きによるアーチファクトが生じてしまう。したがって、心臓などのように動きが速い被検体の放射線画像をエネルギーサブトラクション法によって得ることは困難であった。
【０００３】
特許文献１には、デュアルエネルギー撮影を行うシステムが記載されている。このシステムでは、撮影の際にＸ線源の管電圧が第１ｋＶ値にされた後に第２ｋＶ値に変更される。そして、管電圧が第１ｋＶ値であるときに第１副画像に対応する第１信号が積分され、積分された信号がサンプル・ホールドノードに転送された後に、積分がリセットされる。その後、管電圧が第２ｋＶ値であるときに第２副画像に対応する第２信号が積分される。これにより、積分された第１信号の読み出しと第２信号の積分が並行して行われる。
【先行技術文献】
【特許文献】
【０００４】
【特許文献１】特表２００９−５０４２２１号公報
【発明の概要】
【発明が解決しようとする課題】
【０００５】
特許文献１の方法で複数回にわたってＸ線を曝射して複数フレームの動画撮像を行う場合、Ｘ線を曝射してからサンプル・ホールドノードへの信号の転送を行うまでの時間がフレームごとに異なる可能性がある。これによって、フレーム間で第１副画像のエネルギーおよび線量が互いに異なり、またフレーム間で第２副画像のエネルギーおよび線量が互いにことなることになり、エネルギーサブトラクションの精度が低下しうる。
【０００６】
本発明は、放射線の照射開始から信号のサンプルホールドまでの時間の変動を低減するために有利な技術を提供することを目的とする。
【課題を解決するための手段】
【０００７】
本発明の１つの側面は、複数の画素を有する画素アレイと、前記画素アレイから信号を読み出す読出回路とを備える放射線撮像装置であって、前記複数の画素の各々は、放射線を電気信号に変換する変換素子と、前記放射線に応じて前記変換素子からの信号を複数回にわたってサンプルホールドするサンプルホールド回路とを含み、前記読出回路によって読み出された信号に基づいて取得された前記放射線の放射線エネルギーの時間変化に関する情報に基づいて、前記複数回のサンプルホールドのタイミングを決定する処理を行う処理部と、前記処理部によって決定された前記タイミングで前記サンプルホールド回路による前記複数回のサンプルホールドを行うように制御する制御部と、を更に備える。
【発明の効果】
【０００８】
本発明によれば、放射線の照射開始から信号のサンプルホールドまでの時間の変動を低減するために有利な技術が提供される。
【図面の簡単な説明】
【０００９】
【図１】本発明の第１実施形態の放射線撮像装置の構成を示す図。
【図２】撮像部の構成例を示す図。
【図３】１つの画素の構成例を示す図。
【図４】拡張モード１（比較例）における放射線撮像装置の動作を示す図。
【図５】拡張モード１（比較例）における課題を説明する図。
【図６】拡張モード２における放射線撮像装置の動作を示す図。
【図７】信号処理部がサンプルホールドのタイミングを決定する方法を示す図。
【図８】放射される放射線の例と、電荷蓄積部で保持される電荷の例を示す図。
【図９】本発明のエネルギーサブトラクション撮影動作を説明するフローチャート。
【図１０】本発明の第２実施形態の１つの画素の構成例を示す図。
【図１１】本発明の第２実施形態おける放射線撮像装置の動作を示す図。
【発明を実施するための形態】
【００１０】
以下、添付図面を参照しながら本発明をその例示的な実施形態を通して説明する。
【００１１】
図１には、本発明の第１実施形態の放射線撮像装置１の構成が示されている。放射線撮像装置１は、複数の画素を有する画素アレイ１１０を含む撮像部１００と、撮像部１００からの信号を処理する信号処理部３５２とを備えうる。撮像部１００は、例えば、パネル形状を有しうる。信号処理部３５２は、図１に例示されるように、制御装置３５０の一部として構成されてもよいし、撮像部１００と同一筺体に収められてもよいし、撮像部１００および制御装置３５０とは異なる筺体に収められてもよい。放射線撮像装置１は、エネルギーサブトラクション法によって放射線画像を得るための装置である。エネルギーサブトラクション法は、被検体に照射する放射線のエネルギーを異ならせて複数回にわたって撮像して得た複数の画像を処理することによって新たな放射線画像（例えば、骨画像および軟部組織画像）を得る方法である。放射線という用語は、例えば、Ｘ線の他、α線、β線、γ線、粒子線、宇宙線を含みうる。
【００１２】
放射線撮像装置１は、放射線を発生する放射線源４００、放射線源４００を制御する曝射制御装置３００、および、曝射制御装置３００（放射線源４００）および撮像部１００を制御する制御装置３５０を備えうる。制御装置３５０は、前述のように、撮像部１００から供給される信号を処理する信号処理部３５２を含みうる。制御装置３５０の機能の全部または一部は、撮像部１００に組み込まれうる。あるいは、撮像部１００の機能の一部は、制御装置３５０に組み込まれうる。制御装置３５０は、コンピュータ（プロセッサ）と、該コンピュータに提供するプログラムを格納したメモリとによって構成されうる。信号処理部３５２は、該プログラムの一部によって構成されうる。あるいは、信号処理部３５２は、コンピュータ（プロセッサ）と、該コンピュータに提供するプログラムを格納したメモリとによって構成されうる。制御装置３５０の全部または一部は、デジタルシグナルプロセッサ（ＤＳＰ）、または、プログラマブルロジックアレイ（ＰＬＡ）によって構成されてもよい。制御装置３５０および信号処理部３５２は、その動作を記述したファイルに基づいて論理合成ツールによって設計され製造されてもよい。
【００１３】
制御装置３５０は、放射線源４００による放射線の放射（曝射）を許可する場合に、曝射制御装置３００に対して曝射許可信号を送信する。曝射制御装置３００は、制御装置３５０から曝射許可信号を受信すると、曝射許可信号の受信に応答して、放射線源４００に放射線を放射（曝射）させる。動画を撮像する場合は、制御装置３５０は、曝射制御装置３００に対して複数回にわたって曝射許可信号を送信する。この場合において、制御装置３５０は、曝射制御装置３００に対して所定の周期で複数回にわたって曝射許可信号を送信してもよいし、撮像部１００による次のフレームの撮像が可能になる度に曝射制御装置３００に対して曝射許可信号を送信してもよい。
【００１４】
放射線源４００は、放射線の連続的な放射期間（照射期間）においてエネルギー（波長）が変化する放射線を放射しうる。このような放射線を用いて、互いに異なる複数のエネルギーのそれぞれにおける放射線画像を得て、これらの放射線画像をエネルギーサブトラクション法によって処理することによって１つの新たな放射線画像を得ることができる。
【００１５】
あるいは、放射線源４００は、放射線のエネルギー（波長）を変更する機能を有してもよい。放射線源４００は、例えば、管電圧（放射線源４００の陰極と陽極との間に印加する電圧）を変更することによって放射線のエネルギーを変更する機能を有しうる。
【００１６】
撮像部１００の画素アレイ１１０を構成する複数の画素の各々は、放射線を電気信号（例えば、電荷）に変換する変換素子と、該変換素子をリセットするリセット部とを含む。各画素は、放射線を直接に電気信号に変換するように構成されてもよいし、放射線を可視光等の光に変換した後に該光を電気信号に変換するように構成されてもよい。後者においては、放射線を光に変換するためのシンチレータが利用されうる。シンチレータは、画素アレイ１１０を構成する複数の画素によって共有されうる。
【００１７】
図２には、撮像部１００の構成例が示されている。撮像部１００は、複数の画素１１２を有する画素アレイ１１０および画素アレイ１１０の複数の画素１１２から信号を読み出すための読出回路ＲＣを含む。複数の画素１１２は、複数の行および複数の列を構成するように配列されうる。読出回路ＲＣは、行選択回路１２０、制御部１３０、バッファ回路１４０、列選択回路１５０、増幅部１６０、ＡＤ変換器１７０および検出部１９０を含みうる。
【００１８】
行選択回路１２０は、画素アレイ１１０の行を選択する。行選択回路１２０は、行制御信号１２２を駆動することによって行を選択するように構成されうる。バッファ回路１４０は、画素アレイ１１０の複数の行のうち行選択回路１２０によって選択された行の画素１１２から信号をバッファリングする。バッファ回路１４０は、画素アレイ１１０の複数の列信号伝送路１１４に出力される複数列分の信号をバッファリングする。各列の列信号伝送路１１４は、列信号線対を構成する第１信号線および第２列信号線を含む。第１列信号線には、画素１１２のノイズレベル（後述の通常モード時）、または、画素１１２で検出された放射線に応じた放射線信号（後述の拡張モード時）が出力されうる。第２列信号線３２２には、画素１１２で検出された放射線に応じた放射線信号が出力されうる。バッファ回路１４０は、増幅回路を含みうる。
【００１９】
列選択回路１５０は、バッファ回路１４０によってバッファリングされた１行分の信号対を所定の順に選択する。増幅部１６０は、列選択回路１５０によって選択された信号対を増幅する増。ここで、増幅部１６０は、信号対（２つの信号）の差分を増幅する差動増幅器として構成されうる。ＡＤ変換器１７０は、増幅部１６０から出力される信号ＯＵＴをＡＤ変換してデジタル信号ＤＯＵＴ（放射線画像信号）を出力するＡＤ変換器１７０を備えうる。
【００２０】
検出部１９０は、放射線源４００から放射される放射線に基づいて、放射線源４００による放射線の照射の開始を検出する。検出部１９０は、例えば、放射線源４００によって画素アレイ１１０に照射される放射線を画素アレイ１１０から読出回路ＲＣによって読み出される信号に基づいて検出することによって、放射線源４００による放射線の照射の開始を検出しうる。検出部１９０は、放射線源４００による放射線の照射の開始を検出すると、それを示す同期信号を発生し制御部１３０に供給しうる。
【００２１】
図３には、１つの画素１１２の構成例が示されている。画素１１２は、例えば、変換素子２１０、リセットスイッチ２２０（リセット部）、増幅回路２３０、感度変更部２４０、クランプ回路２６０、サンプルホールド回路（保持部）２７０、２８０、出力回路３１０を含む。画素１１２は、撮像方式に関するモードとして、通常モードおよび拡張モードを有しうる。拡張モードは、エネルギーサブトラクション法によって放射線画像を得るためのモードである。
【００２２】
変換素子２１０は、放射線を電気信号に変換する。変換素子２１０は、例えば、複数の画素で共有されうるシンチレータと、光電変換素子とで構成されうる。変換素子２１０は、変換された電気信号（電荷）、即ち放射線に応じた電気信号を蓄積する電荷蓄積部２１１を有し、電荷蓄積部２１１は、増幅回路２３０の入力端子に接続されている。
【００２３】
増幅回路２３０は、ＭＯＳトランジスタ２３５、２３６、電流源２３７を含みうる。ＭＯＳトランジスタ２３５は、ＭＯＳトランジスタ２３６を介して電流源２３７に接続されている。ＭＯＳトランジスタ２３５および電流源２３７によってソースフォロア回路が構成される。ＭＯＳトランジスタ２３６は、イネーブル信号ＥＮが活性化されることによってオンして、ＭＯＳトランジスタ２３５および電流源２３７によって構成されるソースフォロア回路を動作状態にするイネーブルスイッチである。
【００２４】
変換素子２１０の電荷蓄積部およびＭＯＳトランジスタ２３５のゲートは、電荷蓄積部に蓄積された電荷を電圧に変換する電荷電圧変換部ＣＶＣとして機能する。即ち、電荷電圧変換部ＣＶＣには、電荷蓄積部に蓄積された電荷Ｑと電荷電圧変換部が有する容量値Ｃとによって定まる電圧Ｖ（＝Ｑ／Ｃ）が現れる。電荷電圧変換部ＣＶＣは、リセットスイッチ２２０を介してリセット電位Ｖｒｅｓに接続されている。リセット信号ＰＲＥＳが活性化されるとリセットスイッチ２２０がオンして、電荷電圧変換部の電位がリセット電位Ｖｒｅｓにリセットされる。リセットスイッチ２２０は、変換素子２１０の電荷蓄積部２１１に接続された第１主電極（ドレイン）と、リセット電位Ｖｒｅｓが与えられる第２主電極（ソース）と、制御電極（ゲート）とを有するトランジスタを含みうる。該トランジスタは、該制御電極にオン電圧が与えられることによって該第１主電極と該第２主電極とを導通させて変換素子２１０の電荷蓄積部２１１をリセットする。
【００２５】
クランプ回路２６０は、リセットされた電荷電圧変換部ＣＶＣの電位に応じて増幅回路２３０から出力されるリセットノイズレベルをクランプ容量２６１によってクランプする。クランプ回路２６０は、変換素子２１０で変換された電荷（電気信号）に応じて増幅回路２３０から出力される信号（放射線信号）からリセットノイズレベルをキャンセルするための回路である。リセットノイズベルは、電荷電圧変換部ＣＶＣのリセット時のｋＴＣノイズを含む。クランプ動作は、クランプ信号ＰＣＬを活性化することによってＭＯＳトランジスタ２６２をオンさせた後に、クランプ信号ＰＣＬを非活性化することによってＭＯＳトランジスタ２６２をオフさせることによってなされる。
【００２６】
クランプ容量２６１の出力側は、ＭＯＳトランジスタ２６３のゲートに接続されている。ＭＯＳトランジスタ２６３のソースは、ＭＯＳトランジスタ２６４を介して電流源２６５に接続されている。ＭＯＳトランジスタ２６３と電流源２６５とによってソースフォロア回路が構成されている。ＭＯＳトランジスタ２６４は、そのゲートに供給されるイネーブル信号ＥＮ０が活性化されることによってオンして、ＭＯＳトランジスタ２６３と電流源２６５とによって構成されるソースフォロア回路を動作状態にするイネーブルスイッチである。
【００２７】
出力回路３１０は、ＭＯＳトランジスタ３１１、３１３、行選択スイッチ３１２、３１４を含む。ＭＯＳトランジスタ３１１、３１３は、それぞれ、列信号線３２１、３２２に接続された不図示の電流源とともにソースフォロア回路を構成する。
【００２８】
変換素子２１０で発生した電荷に応じてクランプ回路２６０から出力される信号である放射線信号は、サンプルホールド回路２８０によってサンプルホールド（保持）されうる。サンプルホールド回路２８０は、スイッチ２８１および容量２８２を有しうる。スイッチ２８１は、行選択回路１２０によってサンプルホールド信号ＴＳが活性化されることによってオンする。クランプ回路２６０から出力される放射線信号は、サンプルホールド信号ＴＳが活性化されることによって、スイッチ２８１を介して容量２８２に書き込まれる。
【００２９】
通常モードでは、リセットスイッチ２２０によって電荷電圧変換部ＣＶＣの電位がリセットされ、ＭＯＳトランジスタ２６２がオンした状態では、クランプ回路２６０からは、クランプ回路２６０のノイズレベル（オフセット成分）が出力される。クランプ回路２６０のノイズレベルは、サンプルホールド回路２７０によってサンプルホールド（保持）されうる。サンプルホールド回路２７０は、スイッチ２７１および容量２７２を有しうる。スイッチ２７１は、行選択回路１２０によってサンプルホールド信号ＴＮが活性化されることによってオンする。クランプ回路２６０から出力されるノイズレベルは、サンプルホールド信号ＴＮが活性化されることによって、スイッチ２７１を介して容量２７２に書き込まれる。また、拡張モードでは、サンプルホールド回路２７０は、変換素子２１０で発生した電荷に応じてクランプ回路２６０から出力される信号である放射線信号を保持するために使用されうる。
【００３０】
行選択信号ＶＳＴが活性化されると、サンプルホールド回路２７０、２８０に保持されている信号に応じた信号が列信号伝送路１１４を構成する第１列信号線３２１、第２列信号線３２２に出力される。具体的には、サンプルホールド回路２７０によって保持されている信号（ノイズレベルまたは放射線信号）に応じた信号ＮがＭＯＳトランジスタ３１１および行選択スイッチ３１２を介して列信号線３２１に出力される。また、サンプルホールド回路２８０によって保持されている信号に応じた信号ＳがＭＯＳトランジスタ３１３および行選択スイッチ３１４を介して列信号線３２２に出力される。
【００３１】
画素１１２は、複数の画素１１２の信号を加算するための加算スイッチ３０１、３０２を含んでもよい。加算モード時は、加算モード信号ＡＤＤＮ、ＡＤＤＳが活性化される。加算モード信号ＡＤＤＮの活性化により複数の画素１１２の容量２７２同士が接続され、信号（ノイズレベルまたは放射線信号）が平均化される。加算モード信号ＡＤＤＳの活性化により複数の画素１１２の容量２８２同士が接続され、放射線信号が平均化される。
【００３２】
画素１１２は、感度変更部２４０を含みうる。感度変更部２４０は、スイッチ２４１、２４２、容量２４３、２４４、ＭＯＳトランジスタ２４５、２４６を含みうる。第１変更信号ＷＩＤＥが活性化されると、スイッチ２４１がオンして、電荷電圧変換部ＣＶＣの容量値に第１付加容量２４３の容量値が付加される。これによって、画素１１２の感度が低下する。更に第２変更信号ＷＩＤＥ２も活性化されると、スイッチ２４２もオンして、電荷電圧変換部ＣＶＣの容量値に第２付加容量２４４の容量値が付加される。これによって画素１１２の感度が更に低下する。画素１１２の感度を低下させる機能を追加することによって、ダイナミックレンジを広げることができる。第１変更信号ＷＩＤＥが活性化される場合には、イネーブル信号ＥＮＷが活性化されてもよい。この場合、ＭＯＳトランジスタ２４６がソースフォロア動作をする。なお、感度変更部２４０のスイッチ２４１がオンしたとき、電荷再分配によって変換素子２１０の電荷蓄積部２１１の電位が変化しうる。これにより、信号の一部が破壊されうる。
【００３３】
上記のリセット信号Ｐｒｅｓ、イネーブル信号ＥＮ、クランプ信号ＰＣＬ、イネーブル信号ＥＮ０、サンプルホールド信号ＴＮ、ＴＳ、行選択信号ＶＳＴは、行選択回路１２０によって制御（駆動）される制御信号であり、図２の行制御信号１２２に対応する。また、行選択回路１２０は、制御部１３０から供給されるタイミング信号に従って、リセット信号Ｐｒｅｓ、イネーブル信号ＥＮ、クランプ信号ＰＣＬ、イネーブル信号ＥＮ０、サンプルホールド信号ＴＮ、ＴＳ、行選択信号ＶＳＴを発生する。
【００３４】
図３に示されたような構成の画素１１２では、サンプルホールドの際に変換素子２１０の電荷蓄積部２１１等で信号の破壊が起こらない。即ち、図３に示されたような構成の画素１１２では、放射線信号を非破壊で読み出すことができる。このような構成は、以下で説明するエネルギーサブトラクション法を適用した放射線撮像に有利である。
【００３５】
以下、エネルギーサブトラクション法によって放射線画像を得る拡張モードについて説明する。拡張モードは、以下の４つのサブモード（拡張モード１、２、３、４）を含みうる。ここでは、拡張モード１は比較例であり、拡張モード２、３、４は比較例１の改良例である。
【００３６】
図４には、拡張モード１（比較例）における放射線撮像装置１の動作が示されている。図４において、横軸は時間である。「放射線エネルギー」は、放射線源４００から放射され撮像部１００に照射される放射線のエネルギーである。「ＰＲＥＳ」は、リセット信号ＲＰＥＳである。「ＴＳ」は、サンプルホールド信号ＴＳである。「ＤＯＵＴ」は、ＡＤ変換器１７０の出力である。放射線源４００からの放射線の放射および撮像部１００の動作の同期は、曝射許可信号を発生する制御装置３５０によって制御されうる。撮像部１００における動作制御は、制御部１３０によってなされる。リセット信号ＰＲＥＳが活性化される期間にクランプ信号ＰＣＬも所定期間にわたって活性化されて、クランプ回路２６０にノイズレベルがクランプされる。
【００３７】
図４に例示されるように、放射線源４００から放射される放射線８００のエネルギー（波長）は、放射線の放射期間において変化する。これは、放射線源４００の管電圧を、低エネルギーと高エネルギーの２段階で制御し、また、それぞれの管電圧において、立ち上がり、および、立ち下がりが鈍っていることに起因しうる。そこで、放射線８００が、低エネルギー放射期間における放射線８０１、高エネルギー放射期間における放射線８０２、および、低エネルギー放射線立ち下がり期間における放射線８０３からなるものとして考える。放射線８０１のエネルギーＥ１、放射線８０２のエネルギーＥ２、放射線８０３のエネルギーＥ３は、互いに異なりうる。これを利用してエネルギーサブトラクション法による放射線画像を得ることができる。
【００３８】
制御部１３０は、以下の第１期間Ｔ１、第２期間Ｔ２、第３期間Ｔ３が、それぞれ、低エネルギー放射期間、高エネルギー放射期間、低エネルギー放射線立ち下がり期間に対応するように、第１期間Ｔ１、第２期間Ｔ２および第３期間Ｔ３を規定する。各画素１１２は、第１期間Ｔ１において変換素子２１０で発生した電気信号に応じた第１信号を出力する動作を実行する。また、各画素１１２は、第１期間Ｔ１および第２期間Ｔ２において変換素子２１０で発生した電気信号に応じた第２信号を出力する動作を実行する。また、各画素１１２は、第１期間Ｔ１、第２期間Ｔ２および第３期間Ｔ３において変換素子２１０で発生した電気信号に応じた第３信号を出力する動作を実行する。第１期間Ｔ１、第２期間Ｔ２および第３期間Ｔ３は、互いに異なる期間である。第１期間Ｔ１において、第１エネルギーＥ１を有する放射線が照射され、第２期間Ｔ２において第２エネルギーＥ２を有する放射線が照射され、第３期間Ｔ３において第３エネルギーＥ３を有する放射線が照射されることが予定されている。
【００３９】
拡張モード１では、放射線８００が照射される照射期間ＴＴにおいて、画素１１２の変換素子２１０がリセットされない（リセット信号ＰＲＥＳが活性化されない）。よって、放射線８００が照射される照射期間ＴＴでは、入射した放射線に応じた電気信号（電荷）が変換素子２１０に蓄積され続ける。放射線８００が照射される照射期間ＴＴにおいて、画素１１２の変換素子２１０がリセットされないことは、撮像に寄与しない放射線の照射を減らしつつ、より短時間でエネルギーサブトラクション法のための放射線画像を得るために有利である。
【００４０】
放射線８００の放射（撮像部１００への照射）前に、リセット信号ＰＲＥＳが所定期間にわたって活性化され、これによって変換素子２１０がリセットされる。この際に、クランプ信号ＰＣＬも所定期間にわたって活性化されて、クランプ回路２６０にリセットレベル（ノイズレベル）がクランプされる。
【００４１】
リセット信号ＰＲＥＳが所定期間にわたって活性化された後に、曝射制御装置３００から放射線源４００に対して曝射許可信号が送信され、この曝射許可信号に応答して放射線源４００から放射線が放射される。リセット信号ＰＲＥＳが所定期間にわたって活性化されてから所定期間が経過した後に、サンプルホールド信号ＴＮが所定期間にわたって活性化される。これによって、エネルギーＥ１の放射線８０１の照射を受けて画素アレイ１１０の画素１１２の変換素子２１０が発生した電気信号に応じた信号（Ｅ１）がサンプルホールド回路２７０によってサンプルホールドされる。
【００４２】
サンプルホールド信号ＴＮが所定期間にわたって活性されてから所定期間が経過した後に、サンプルホールド信号ＴＳが所定期間にわたって活性される。これによって、エネルギーＥ１の放射線８０１およびエネルギーＥ２の放射線８０２の照射を受けて画素アレイ１１０の画素１１２の変換素子２１０が発生した電気信号に応じた信号（Ｅ１＋Ｅ２）がサンプルホールド回路２８０によってサンプルホールドされる。
【００４３】
次いで、サンプルホールド回路２７０でサンプルホールドされた信号（Ｅ１）とサンプルホールド回路２８０でサンプルホールドされた信号（Ｅ１＋Ｅ２）との差分に相当する信号が第１信号８０５として読出回路ＲＣから出力される（「読出」）。なお、図４において、”Ｎ”は、サンプルホールド回路２７０によってサンプルホールドされ、第１列信号線３２１に出力される信号を示し、”Ｓ”は、サンプルホールド回路２８０によってサンプルホールドされ、第２列信号線３２２に出力される信号を示す。
【００４４】
次いで、サンプルホールド信号ＴＳが所定期間にわたって活性されてから所定期間が経過した後（エネルギーＥ３の放射線８０３の照射（放射線８００の照射）が終了した後）に、サンプルホールド信号ＴＳが所定期間にわたって再び活性化される。これによって、エネルギーＥ１、Ｅ２、Ｅ３の放射線８０１、８０２、８０３の照射を受けて画素アレイ１１０の画素１１２の変換素子２１０が発生した電気信号に応じた信号（Ｅ１＋Ｅ２＋Ｅ３）がサンプルホールド回路２８０によってサンプルホールドされる。
【００４５】
次いで、サンプルホールド回路２７０によってサンプルホールドされた信号（Ｅ１）とサンプルホールド回路２８０によってサンプルホールドされた信号（Ｅ１＋Ｅ２＋Ｅ３）との差分に相当する信号が第２信号８０６として読出回路ＲＣから出力される。
【００４６】
次いで、リセット信号ＰＲＥＳが所定期間にわたって活性化され、更に、サンプルホールド信号ＴＮが所定期間にわたって活性される。これによって、サンプルホールド回路２７０によってリセットレベル（０）がサンプルホールドされる。次いで、サンプルホールド回路２７０によってサンプルホールドされた信号（０）とサンプルホールド回路２８０によってサンプルホールドされた信号（Ｅ１＋Ｅ２＋Ｅ３）との差分に相当する信号が第３信号８０７として読出回路ＲＣから出力される。
【００４７】
以上のような動作を複数回にわたって繰り返すことによって、複数フレームの放射線画像（即ち、動画）を得ることができる。
【００４８】
信号処理部３５２は、以上のようにして、第１信号８０５（Ｅ２）、第２信号８０６（Ｅ２＋Ｅ３）、第３信号８０７（Ｅ１＋Ｅ２＋Ｅ３）を得ることができる。信号処理部３５２は、第１信号８０５、第２信号８０６、第３信号８０７に基づいて、エネルギーＥ１の放射線８０１の照射量ｅ１、エネルギーＥ２の放射線８０２の照射量ｅ２、エネルギーＥ３の放射線８０３の照射量ｅ３を得ることができる。具体的には、信号処理部３５２は、第１信号８０５（Ｅ２）と第２信号（Ｅ２＋Ｅ３）との差分（（Ｅ２＋Ｅ３）−Ｅ２）を演算することによって、エネルギーＥ３の放射線８０３の照射量ｅ３を得ることができる。また、信号処理部３５２は、第２信号８０６（Ｅ２＋Ｅ３）と第３信号（Ｅ１＋Ｅ２＋Ｅ３）との差分（（Ｅ１＋Ｅ２＋Ｅ３）−（Ｅ２＋Ｅ３））を演算することによって、エネルギーＥ１の放射線８０１の照射量ｅ１を得ることができる。また、第１信号８０５（Ｅ２）は、エネルギーＥ２の放射線８０２の照射量ｅ２を示している。
【００４９】
したがって、信号処理部３５２は、エネルギーＥ１の放射線８０１の照射量ｅ１、エネルギーＥ２の放射線８０２の照射量ｅ２、エネルギーＥ３の放射線８０３の照射量ｅ３に基づいて、エネルギーサブトラクション法によって放射線画像を得ることができる。エネルギーサブトラクション法としては、種々の方法から選択される方法を採用することができる。例えば、第１エネルギーの放射線画像と第２エネルギーの放射線画像との差分を演算することによって骨画像と軟部組織画像とを得ることができる。また、第１エネルギーの放射線画像と第２エネルギーの放射線画像に基づいて非線形連立方程式を解くことによって骨画像と軟部組織画像とを生成してもよい。また、第１エネルギーの放射線画像と第２エネルギーの放射線画像とに基づいて造影剤画像と軟部組織画像とを得ることもできる。また、第１エネルギーの放射線画像と第２エネルギーの放射線画像とに基づいて電子密度画像と実効原子番号画像とを得ることもできる。
【００５０】
図５を参照しながら拡張モード１（比較例）における課題を説明する。図５に例示されるように、制御装置３５０が曝射制御装置３００に対して曝射許可信号を送信してから、放射線源４００が放射線の放射（曝射）を開始するまでの時間（これを「曝射ディレイ」と呼ぶ）は、フレームごとに異なりうる。図５の例では、第（ｎ＋１）フレームにおける曝射ディレイが第ｎフレームにおける曝射ディレイより大きい。
【００５１】
曝射ディレイがフレームごとに異なることは、図４を参照して説明すると、放射線８００の照射が開始されてからサンプルホールド回路２７０、２８０がサンプルホールドを完了するまでの期間Ｔ１、Ｔ２がばらつくことを意味する。したがって、第１信号８０５、第２信号８０６、第３信号８０７として検出される放射線のエネルギーおよび照射量（線量）がフレーム間で変化しうる。これは、照射量ｅ１、照射量ｅ２、照射量ｅ３として検出される放射線のエネルギーおよび照射量（線量）がフレーム間で変化し、照射量ｅ１、照射量ｅ２、照射量ｅ３に基づくエネルギーサブトラクションの精度が低下しうることを意味する。これによって、動画にアーチファクトおよび／または明滅が生じうる。
【００５２】
図６には、拡張モード２における放射線撮像装置１の動作が示されている。拡張モード２として言及しない事項は、拡張モード１に従いうる。拡張モード１（比較例）における課題を解決するためには、曝射許可信号ではなく、放射線源４００から実際に放射された放射線に同期して、画素１１２のサンプルホールド回路２７０、２８０にサンプルホールドを行わせる必要がある。そこで、制御部１３０が曝射許可信号を受信することに応じて、読出回路ＲＣはサンプルホールド回路２７０、２８０の少なくとも一方の信号を非破壊で複数回読み出す。読出回路ＲＣによって複数回読み出された信号に基づいて、放射線源４００から放射された放射線エネルギーの時間変化（波形）に関する情報を取得することができる。そして、信号処理部３５２が複数回読み出された信号に基づいて画素アレイ１１０の複数の画素１１２の各々における複数回のサンプルホールドＳＨ１、ＳＨ２、ＳＨ３のタイミングを決定する。すなわち、取得された放射線エネルギーの時間変化に関する情報に基づいて、画素アレイ１１０の複数の画素１１２の各々における複数回のサンプルホールドＳＨ１、ＳＨ２、ＳＨ３のタイミングを決定することができる。好ましくは読出回路ＲＣが、サンプルホールド回路２７０、２８０の少なくとも一方にて複数回サンプルホールドを行い、サンプルホールド回路２７０、２８０の少なくとも一方にサンプルホールドされた信号を非破壊で複数回読み出す。そして、信号処理部３５２は複数回読み出された信号の時間変化量（微分値）に基づいて画素アレイ１１０の複数の画素１１２の各々における複数回のサンプルホールドＳＨ１、ＳＨ２、ＳＨ３のタイミングを決定する。すなわち、放射線エネルギーの時間変化（波形）に関する情報として信号の時間変化量（微分値）を用いて、画素アレイ１１０の複数の画素１１２の各々における複数回のサンプルホールドＳＨ１、ＳＨ２、ＳＨ３のタイミングを決定することができる。なお、複数回のサンプルホールドＳＨ１、ＳＨ２、ＳＨ３のうちの最初のサンプルホールドＳＨ１と最後のサンプルホールドＳＨ３との間の期間中は、リセットスイッチ２２０が変換素子２１０をリセットしない。
【００５３】
ここで、エネルギーサブトラクション法によって放射線画像を得るために、複数回のサンプルホールドのタイミングＳＨ１、ＳＨ２、ＳＨ３における少なくとも１回のサンプルホールドのタイミングは、放射線の照射期間ＴＴにおけるタイミングである。第１実施形態では、３回のサンプルホールドのタイミングＳＨ１、ＳＨ２、ＳＨ３における２回のサンプルホールドＳＨ１、ＳＨ２のタイミングは、放射線の照射期間ＴＴにおけるタイミングである。複数回のサンプルホールドＳＨ１、ＳＨ２のタイミングは、それぞれ、信号処理部３５２によって複数回読み出された信号の時間変化量に従って決定されうる。すなわち、フレーム間において、低エネルギー放射線８０１から高エネルギー放射線８０２に変わるタイミングｔ１でサンプルホールドＳＨ１が、高エネルギー放射線８０２から立下り期間放射線８０３に変わるタイミングｔ２でサンプルホールドＳＨ２が行われる。ここで、放射線源４００から照射される放射線は波形が一定であれば、サンプルホールドＳＨ１からサンプルホールドＳＨ２の終了までの期間が一定にされる。なお、サンプルホールドＳＨ３のタイミングはＳＨ２以降で読み出しが次のフレームに間に合うタイミングにおいて一意に決定し得る。また、サンプルホールド回路２７０によってリセットレベル（０）がサンプルホールドされるタイミングも、ＳＨ２以降で第３信号８０７の読み出しの後で一意に決定し得る。これにより、エネルギーサブトラクションの精度の低下を抑制し、これにより、動画におけるアーチファクトおよび／または明滅を低減することができる。
【００５４】
図７には、信号処理部３５２がサンプルホールド回路２８０によってサンプルホールドされた信号からサンプルホールドタイミングを決定する方法が例示されている。リセット信号ＰＲＥＳの活性化によってリセットスイッチ２２０がオンし、変換素子２１０の電荷蓄積部２１１の「リセット」の後に、曝射検出駆動がなされ、曝射検出駆動において放射線の照射の開始が検出されると、エネルギーサブトラクション駆動に移行する。リセットＲＤでは、曝射許可信号の受信に応じて、リセット信号ＰＲＥＳが所定期間にわたって活性化され、これによって変換素子２１０がリセットされる。この際に、クランプ信号ＰＣＬも所定期間にわたって活性化されて、クランプ回路２６０にリセットレベル（ノイズレベル）がクランプされる。また、この期間に、サンプルホールド信号ＴＮおよびサンプルホールド信号ＴＳも所定期間にわたって活性化されることによって、サンプルホールド回路２７０の容量２７２、サンプルホールド回路２８０の容量２８２がリセットレベルになる。これにより、サンプルホールド回路２７０及びサンプルホールド回路２８０がリセットされる。リセットＲＤの際に、感度変更部２４０の第１変更信号ＷＩＤＥおよび第２変更信号ＷＩＤＥ２が所定期間にわたって活性化されると、第１付加容量２４３および第２付加容量２４４もリセットされる。このため、必要に応じて付加容量のリセットを行うことが望ましい。以上のように、リセットＲＤでは、変換素子２１０をリセットすると共に、クランプ回路２６０のｋＴＣノイズや第１増幅トランジスタのオフセットに起因するノイズ成分がクランプ容量２６１に保持され、また、容量２７２および２８２が初期化される。特に、リセットＲＤによってサンプルホールド回路２７０の容量２７２、サンプルホールド回路２８０の容量２８２がリセットレベルになることにより、曝射検出駆動での微小な信号の変化を精度よく検出することが可能となる。リセットＲＤの後に、曝射検出駆動が行われる。すなわち、放射線の照射の開始を検出する前にリセットＲＤが行われることとなる。曝射検出駆動は、画素１１２のサンプルホールド回路２７０、２８０による「サンプルホールド」および読出回路ＲＣによる画素１１２からの信号の「読出」の繰り返しを含む。曝射検出駆動およびエネルギーサブトラクション駆動は、制御部１３０によって制御される。なお、検出部１９０が、読出回路ＲＣによって画素１１２から読み出された信号が閾値を越えると、放射線源４００による放射線の照射が開始されたと判断して同期信号を発生してもよい。また、これに応答して、制御部１３０が、エネルギーサブトラクション駆動を開始してもよい。ただし、図７に示す方法では、当該同期信号の発生及び同期信号に応じた制御を行わなくても、エネルギーサブトラクション駆動の制御を行うことができる。エネルギーサブトラクション駆動は、複数の画素１１２のサンプルホールド回路２７０、２８０による複数回のサンプルホールドＳＨ１、ＳＨ２、ＳＨ３および読出回路ＲＣによる読出動作を含む。ここで、読出回路ＲＣによる読出動作は、第１信号８０５、第２信号８０６、第３信号８０７を出力する動作を含む。
【００５５】
曝射検出駆動における「サンプルホールド」と「読出」の繰り返しは、放射線画像取得の際の「サンプルホールド」と「読出」の繰り返しよりも高速（例えば、μｓオーダー）で行われることが好ましい。これは、「サンプルホールド」および「読出」に要する時間分だけ、放射線の照射の開始が検出されるタイミングが遅れるためである。高速化のために、曝射検出駆動の期間中は、読出の際のビニング（画素の加算数）を変更してもよい。ビニング２×２、４×４、８×８、・・・のように加算数が増加するほど、読出時間を短縮することができる。曝射検出駆動において読み出しによって得られる画像は、放射線照射のエネルギー切り替わりを判定するためにあるため、解像度を考慮する必要はない。したがって、３２×３２ビニングのように解像度を大きく下げ、読み出しに要する時間を短縮してもよい。また、読出対象の画素１１２の個数を限定してもよい。例えば、一部の行の画素からのみ信号を読み出すために、他の行をスキップしうる。
【００５６】
信号処理部３５２がＳＨ２のサンプルホールドタイミングを決定したら、曝射検知動作からエネルギーサブトラクション駆動に移行するので、ビニング等の設定は、エネルギーサブトラクション駆動に変更される。
【００５７】
図８には、信号処理部３５２がＡＤ変換器１９０から出力された信号の変化量からサンプルホールドのタイミングを決定する方法が例示されている。図８（ａ）は放射線源４００から放射される放射線エネルギーの時間変化の例である。図８（ｂ）は、複数の画素１１２が図８（ａ）で示される放射線エネルギーを受けたときの電荷蓄積部２１１で保持された電荷量に基づく信号の時間変化（積分値）を実線で、その信号の微分値としての２階微分値を破線で示している。図８（ａ）の低エネルギー放射線の曝射開始はｔ０、高エネルギー放射線の曝射開始はｔ１、高エネルギー放射線の立下りはｔ２、低エネルギー放射線の立下りはｔ３である。図８（ａ）のｔ０、ｔ１、ｔ２およびｔ３に対応して、図８（ｂ）のｔ０、ｔ１、ｔ２およびｔ３のタイミングで積分値（実線）も２階微分値も大きく変化する。なお、ここでは放射線エネルギーの時間変化（波形）に関する情報として積分値、微分値（２階微分値）を例に挙げたが、時間変化がわかれば良く、より好ましくは２階微分値が適用され得る。
【００５８】
図９には図８で示される放射線を受けて、エネルギーサブトラクション撮影する際の１フレームの動作におけるフローチャートが例示されている。撮影が開始されると、検出部は電荷蓄積部２１１で保持される電荷量の変化を検出する。この時、図８（ｂ）に示されるように電荷量の２階微分をとると変化が顕著になる。図８（ａ）に示される波形であれば、変化の前は微分値がおおよそ０であるため、はじめにＳＴＥＰ９０１において微分値が０から変化するかを判定する。ＳＴＥＰ９０１において微分値の変化を検出する（Ｙｅｓ）と、ＳＴＥＰ９０２において正の値か否かを判定する。ＳＴＥＰ９０１において微分値の変化を検出しない（Ｎｏ）と、微分値の変化を検出する（Ｙｅｓ）までＳＴＥＰ９０１を繰返す。ＳＴＥＰ９０２において正の値であった（Ｙｅｓ）と判定された場合は、ＳＴＥＰ９０３において１回目の正の値か否かを判定することにより、低エネルギー放射線曝射の開始ｔ０か高エネルギー放射線曝射の開始ｔ１かを判定する。なお、ＳＴＥＰ９０２において負の値であった（Ｎｏ）と判定された場合についてはＳＴＥＰ９０５へ進むがそれについては後で詳細に説明する。そして、ＳＴＥＰ９０３において１回目であった（Ｙｅｓ）と判定された場合、ＳＴＥＰ９０１に戻る。１回目ではなかった（２回目であった）（Ｎｏ）と判定された場合、ＳＴＥＰ９０４において制御部１３０へ通知し制御部１３０はサンプルホールドＳＨ１を行う。
【００５９】
そののち、次に微分値が変化を検出するまでＳＴＥＰ９０１を繰り返す。ＳＴＥＰ９０１で変化を検出し、ＳＴＥＰ９０２において負の値であった（Ｎｏ）と判定された場合は、ＳＴＥＰ９０５において１回目かどうかを判定し、高エネルギー放射線の立下りか、低エネルギー放射線の立下りかどうかを判定する。ＳＴＥＰ９０５において１回目であった（Ｙｅｓ）と判定された場合にはＳＴＥＰ９０１に戻る。ＳＴＥＰ９０５において１回目でなかった（２回目であった）（Ｎｏ）場合はＳＴＥＰ９０６にて、制御部１３０へ通知し制御部１３０はサンプルホールドＳＨ２を行う。そして、ＳＴＥＰ９０７において信号読み出しを行う。なお、サンプルホールドＳＨ３については、ＳＴＥＰ９０７においてサンプルホールドＳＨ２からの所定の時間で一意に決定され得る。このようにして、１フレームでのエネルギーサブトラクション撮影が完了する。
【００６０】
以上のように、電荷蓄積部２１１の電荷量の変化から放射された放射線エネルギーの時間変化（波形）に関する情報を取得し、適切なタイミングでサンプルホールドを行うことができる。
【００６１】
上記の説明では、エネルギーが互いに異なる３種類の画像を取得する形態を説明した。しかしながら、本発明はこのような形態に限定されない。例えば、サンプルホールドの回数を増やし、エネルギーが互いに異なる４種類の画像を取得してもよい。あるいは、サンプルホールドの回数を減らし、エネルギーが互いに異なる２種類の画像を取得してもよい。あるいは、互いにエネルギーが異なる３種類の画像から互いにエネルギーが異なる２種類の画像を得てもよい。
【００６２】
上記の例では、放射線源４００の管電圧の波形を意図的に調整することによって互いにエネルギーが異なる複数の画像を得て、該複数の画像に基づいて新たな放射線画像を形成する。あるいは、エネルギー帯域（波長帯域）が広い放射線を放射線源４００から放射させ、複数のフィルタの切り替えによって放射線のエネルギーを変更してもよい。
【００６３】
図１０には、本発明の第２実施形態の放射線撮像装置１の構成が示されている。第１実施形態との違いは、図３の画素構成に対して、さらにサンプルホールド回路２９０と出力回路および列信号線が追加し、信号出力を３系統とした点である。第２実施形態として言及しない事項は、第１実施形態に従いうる。第２実施形態では、サンプルホールド回路２７０及びサンプルホールド回路２８０とは別のサンプルホールド回路２９０を更に備え、出力回路３１０は、ＭＯＳトランジスタ３１５、行選択スイッチ３１６を更に含む。ＭＯＳトランジスタ３１５は、列信号線３２３に接続された不図示の電流源とともにソースフォロア回路を構成する。サンプルホールド回路２９０は、スイッチ２９１および容量２９２を有しうる。スイッチ２９１は、行選択回路１２０によってサンプルホールド信号ＴＳが活性化されることによってオンする。クランプ回路２６０から出力される放射線信号は、サンプルホールド信号ＴＳが活性化されることによって、スイッチ２９１を介して容量２９２に書き込まれる。
【００６４】
サンプルホールド回路２９０から出力される信号を放射線エネルギーの時間変化（波形）に関する情報の取得専用の信号とし、制御部１３０は、図１１で示されるようにエネルギーサブトラクション駆動とは独立して駆動する。このことにより、信号処理部３５２は詳細な放射線エネルギーの時間変化（波形）に関する情報を取得することができる。このとき、サンプルホールド回路２９０からの信号取得は、前述した方法により高速で行い、画像生成のための第１信号８０５及び第２信号８０６の読み出しは列毎に交互に行うなどして、一定の間隔で読み出す。なお、第１信号８０５及び第２信号８０６の読み出しと並行して、放射線エネルギーの時間変化（波形）に関する情報の取得専用の信号の読み出しを行うため、第１信号８０５及び第２信号８０６の読み出しにかかる時間が伸びてしまう。しかしながら、第１信号８０５及び第２信号８０６の読み出しにかかる時間はｍｓオーダーであることに対し、高速読み出しではμｓオーダーで行えるため、画像生成やフレームレートに与える影響はすくない。放射線エネルギーの時間変化（波形）に関する情報の取得専用の信号出力系統を設けることにより、信号処理部３５２はエネルギーＥ３の放射線８０３の照射の完了を検出できる。それにより、エネルギーＥ３の放射線８０３の曝射の完了の検知に応じて、最後のサンプルホールドＳＨ３のタイミングを決定することができます。また、サンプルホールド回路２７０によってリセットレベル（０）がサンプルホールドされるタイミング及び第３信号８０７の読み出しのタイミングも決定することができる。
【００６５】
なお、本発明でのタイミングの決定は、例えば、予め設定されたタイミングの設定値を持ち、放射線エネルギーの時間変化（波形）に関する情報に基づくタイミングと設定値を比較しても良い。比較結果に乖離があった場合に、検査者に乖離がある旨を通知したり、数フレーム分のデータから設定された設定値を補正したりしてもよい。
【符号の説明】
【００６６】
１  放射線撮像装置
１１０  画素アレイ
ＲＣ  読出回路
１９０  検出部
１３０  制御部
２１０  変換素子
２７０、２８０  サンプルホールド回路
３５２  信号処理部
【図１】
2020088765.tif 000003
【図２】
2020088765.tif 000004
【図３】
2020088765.tif 000005
【図４】
2020088765.tif 000006
【図５】
2020088765.tif 000007
【図６】
2020088765.tif 000008
【図７】
2020088765.tif 000009
【図８】
2020088765.tif 000010
【図９】
2020088765.tif 000011
【図１０】
2020088765.tif 000012
【図１１】
2020088765.tif 000013